(57)【要約】      （修正有）【課題】他機器の起動待ちの際に映像コンテンツを再生表示し、待ち時間に対する利用者の不満感を緩和する。【解決手段】映像再生装置１は、他映像再生装置２の起動状況を確認し、前記他映像再生装置が停止状態である時は起動を要求し、前記他映像再生装置が起動処理を完了した時は第１コンテンツの送信を要求する接続管理部１５と、前記他映像再生装置の起動処理中にキー情報に対応する第２コンテンツを取得する取得部１７と、前記他映像再生装置の起動処理中に前記第２コンテンツを表示部１２に再生表示させ、前記他映像再生装置から前記第１コンテンツを受信すると、前記表示部に前記第１コンテンツを再生表示させる制御部１３と、を備える。【選択図】図３
2010213156.tif 000002
【特許請求の範囲】
【請求項１】
他映像再生装置の起動状況を確認し、前記他映像再生装置が停止状態である時は起動を要求し、前記他映像再生装置が起動処理を完了した時は第１コンテンツの送信を要求する接続管理部と、
前記他映像再生装置の起動処理中にキー情報に対応する第２コンテンツを取得する取得部と、
前記他映像再生装置の起動処理中に前記第２コンテンツを表示部に再生表示させ、前記他映像再生装置から前記第１コンテンツを受信すると、前記表示部に前記第１コンテンツを再生表示させる制御部と、
を備える映像再生装置。
【請求項２】
前記接続管理部は、前記他映像再生装置に対して起動状況を問い合わせると共に前記キー情報を要求し、前記他映像再生装置から前記問い合わせの応答と共に前記キー情報を取得することを特徴とする請求項１に記載の映像再生装置。
【請求項３】
前記キー情報は前記他映像再生装置の起動完了までに要する予測時間の情報を含み、
前記取得部は、再生時間が前記予測時間より短いコンテンツを前記第２コンテンツとして取得することを特徴とする請求項２に記載の映像再生装置。
【請求項４】
前記取得部は、外部ネットワーク上の機器へ、前記キー情報の少なくとも一部を含み、前記第２コンテンツを要求する要求メッセージを送信し、当該機器から送信される前記第２コンテンツを受信することを特徴とする請求項１に記載の映像再生装置。
【請求項５】
複数の映像コンテンツを記憶する記憶部をさらに備え、
前記取得部は、前記記憶部から前記キー情報に対応する映像コンテンツを前記第２コンテンツとして取得することを特徴とする請求項１に記載の映像再生装置。
【請求項６】
前記接続管理部が前記キー情報を保持しており、前記接続管理部による前記他映像再生装置に対する起動要求に伴い、前記取得部が前記第２コンテンツの取得を行うことを特徴とする請求項１に記載の映像再生装置。
【請求項７】
前記制御部は、前記第１コンテンツの受信に伴い、前記第２コンテンツの再生表示を終了させ、前記第１コンテンツの再生表示を開始することを特徴とする請求項１に記載の映像再生装置。
【請求項８】
前記他映像再生装置が保持する前記第１コンテンツの再生表示指示を受け付ける受付部をさらに備えることを特徴とする請求項１に記載の映像再生装置。
【請求項９】
他映像再生装置に保持されている第１コンテンツの再生表示指示を受け付け、
前記他映像再生装置に対して起動を要求し、
前記他映像再生装置に対して起動状況を問い合わせると共にキー情報を要求し、
前記他映像再生装置から前記問い合わせの応答と共に前記キー情報を取得し、
前記キー情報に基づいて第２コンテンツを取得し、
前記第２コンテンツを表示部に再生表示させ、
起動処理が完了した前記他映像再生装置に対して前記第１コンテンツを要求し、
前記他映像再生装置から前記第１コンテンツを取得し、
前記表示部に前記第１コンテンツを再生表示させる映像再生方法。
【請求項１０】
他映像再生装置に保持されている第１コンテンツの再生表示指示を受け付けるステップと、
前記他映像再生装置に対して起動を要求するステップと、
前記他映像再生装置に対して起動状況を問い合わせると共にキー情報を要求するステップと、
前記他映像再生装置から前記問い合わせの応答と共に前記キー情報を取得するステップと、
前記キー情報に基づいて第２コンテンツを取得するステップと、
前記第２コンテンツを表示部に再生表示させるステップと、
起動処理が完了した前記他映像再生装置に対して前記第１コンテンツを要求するステップと、
前記他映像再生装置から前記第１コンテンツを取得するステップと、
前記表示部に前記第１コンテンツを再生表示させるステップとをコンピュータに実行させる映像再生プログラム。
【発明の詳細な説明】
【技術分野】
【０００１】
本発明は、映像再生装置、方法、及びプログラムに関するものである。
【背景技術】
【０００２】
家庭内で映像コンテンツを楽しむ際には、テレビ、ＤＶＤプレイヤー、ＤＶＤレコーダー、ハードディスクレコーダー等の映像コンテンツ再生機能を持つ機器(以下、映像再生機器)が利用される。
【０００３】
近年、より高精彩な映像コンテンツを扱うことを可能にするため、映像再生機器の高機能化が進み、結果として、起動時間等の操作待ち時間が長くなっている。これは、機能の高度化を支えるために、映像再生機器の構成がいわゆるＰＣなどのコンピュータに近付いていることに一因がある。
【０００４】
また、複数の映像再生機器を相互接続し、連携して動作させるということが行われている。例えば、第１の映像再生機器が、利用者からの操作指示に従って、第２の映像再生機器からの映像信号を入力として受け取り、これを再生表示する。第１の映像再生機器は、第２の映像再生機器に対して映像信号を要求するが、この時点で第２の映像再生機器が起動していない（停止している）ことがある。この場合、第１の映像再生機器は、第２の映像再生機器に対して起動要求を送信し、第２の映像再生機器の起動完了後に、映像信号を要求することとなる（例えば非特許文献１参照）。
【０００５】
第１の映像再生機器を利用している利用者は、第２の映像再生機器の起動が完了するまで、第１の映像再生機器における映像コンテンツ表示を待たされるため、不満を感じる。機器自身の電源立ち上がり時の待ち時間、あるいはチャンネル切り替え時の待ち時間の間に、コマーシャルコンテンツを再生するデジタル放送受信機が知られている（例えば特許文献１参照）。しかし、再生されるコマーシャルコンテンツは利用者の好みのコンテンツではなく、利用者の待ち時間に対する不満感は緩和されない。また、他機器の起動及び映像コンテンツ表示待ちの際に、利用者の好みに応じた別のコンテンツを再生するように構成された映像再生機器は知られていない。
【先行技術文献】
【特許文献】
【０００６】
【特許文献１】特開２００５−８０１０２号公報
【非特許文献】
【０００７】
【非特許文献１】HDMI Specification Version 1.3a Supplement 1 Consumer Electronics Control (CEC) CEC Features Description Give Device Power Status
【発明の概要】
【発明が解決しようとする課題】
【０００８】
本発明は、他機器の起動待ちの際に映像コンテンツを再生表示し、待ち時間に対する利用者の不満感を緩和する映像再生装置、方法、及びプログラムを提供することを目的とする。
【課題を解決するための手段】
【０００９】
本発明の一態様による映像再生装置は、他映像再生装置の起動状況を確認し、前記他映像再生装置が停止状態である時は起動を要求し、前記他映像再生装置が起動処理を完了した時は第１コンテンツの送信を要求する接続管理部と、前記他映像再生装置の起動処理中にキー情報に対応する第２コンテンツを取得する取得部と、前記他映像再生装置の起動処理中に前記第２コンテンツを表示部に再生表示させ、前記他映像再生装置から前記第１コンテンツを受信すると、前記表示部に前記第１コンテンツを再生表示させる制御部と、を備えるものである。
【００１０】
また、本発明は、上記映像再生装置を実行することができる方法およびプログラムである。
【発明の効果】
【００１１】
本発明によれば、他機器の起動待ちの際に映像コンテンツを再生表示し、待ち時間に対する利用者の不満感を緩和することができる。
【図面の簡単な説明】
【００１２】
【図１】本発明の実施形態に係る映像再生システムの概略構成図である。
【図２】同実施形態に係る映像再生装置の概略構成図である。
【図３】同実施形態に係る映像再生装置の動作の一例を示すシーケンス図である。
【図４】起動要求メッセージのフレームフォーマットの一例を示す図である。
【図５】起動状況及びキー情報を問い合わせるメッセージのフレームフォーマットの一例を示す図である。
【図６】起動状況及びキー情報の応答メッセージのフレームフォーマットの一例を示す図である。
【図７】起動完了を示す応答メッセージのフレームフォーマットの一例を示す図である。
【図８】映像信号の送信指示を通知するメッセージのフレームフォーマットの一例を示す図である。
【図９】映像信号の送信パスを通知するメッセージのフレームフォーマットの一例を示す図である。
【図１０】変形例による映像再生装置の動作を示すシーケンス図である。
【図１１】同実施形態に係る映像再生装置のキー情報取得動作の一例を示すシーケンス図である。
【図１２】拡張フラグが付与された再生指示メッセージのフレームフォーマットの一例を示す図である。
【図１３】キー情報が付与された応答メッセージのフレームフォーマットの一例を示す図である。
【図１４】同実施形態に係る映像再生装置のキー情報取得動作の一例を示すシーケンス図である。
【発明を実施するための形態】
【００１３】
以下、本発明の実施の形態を図面に基づいて説明する。
【００１４】
本実施形態に係る映像再生装置は、他映像再生装置と接続され、映像信号や制御信号の送受信を行う。図１に本実施形態に係る映像再生装置を利用した映像再生システムの概略構成を示す。ここでは互いに接続された映像再生装置として、テレビ１及びＤＶＤレコーダー２を例に説明する。
【００１５】
テレビ１とＤＶＤレコーダー２は、ＨＤＭＩ（High-Definition Multimedia Interface）ケーブル３ａを使って接続され、映像信号又は制御信号を送受信する。また、ＤＶＤレコーダー２は、ＨＤＭＩケーブル３ｂにより放送波受信機４と接続されている。ＤＶＤレコーダー２は、ＨＤＭＩケーブル３ｂを介して放送波受信機４が受信したテレビ映像を受け取る。なお、放送波受信機４は、ＤＶＤレコーダー２が内蔵するように構成されていてもよい。ＤＶＤレコーダー２は、テレビ映像の録画等を行い、利用者からの操作指示によって、ＨＤＭＩケーブル３ａを介してテレビ１に映像コンテンツを渡す。テレビ１は受け取った映像コンテンツを再生表示する。
【００１６】
また、テレビ１やＤＶＤレコーダー２は、ルータ５を介してインターネットへアクセスできてもよい。例えば、テレビ１やＤＶＤレコーダー２は、インターネットから電子番組表データを取得したり、インターネットで利用可能な映像コンテンツを再生表示あるいは蓄積したりすることが可能であってもよい。
【００１７】
利用者は、テレビ１及びＤＶＤレコーダー２を、リモコンなどの機器を使って操作する。ただし、テレビ１のリモコンとＤＶＤレコーダー２のリモコンの両方を使用することは操作が煩雑となるため、例えば、テレビ１のリモコンのみを使って、ＤＶＤレコーダー２の基本機能を呼び出し、テレビ１にＤＶＤレコーダー２の映像コンテンツを表示させたりすることが可能である。このようなことを行うためのテレビ１とＤＶＤレコーダー２との信号交換の標準仕様の一つとして、ＨＤＭＩが利用されている。
【００１８】
テレビ１は、利用者からＤＶＤレコーダー２の映像コンテンツ（第１コンテンツ）の表示指示が与えられると、ＤＶＤレコーダー２から第１コンテンツを取得する。この時、ＤＶＤレコーダー２が起動していない場合、テレビ１は、まずＤＶＤレコーダー２に対して起動要求を送信する。そして、テレビ１は、ＤＶＤレコーダー２が起動処理を行っている間に、利用者の好みの映像コンテンツ（第２コンテンツ）を再生する。テレビ１は、ＤＶＤレコーダー２の起動が完了すると、ＤＶＤレコーダー２から第１コンテンツを取得し、再生する。
【００１９】
本実施形態に係る映像再生装置であるテレビ１、及びテレビ１に接続されるＤＶＤレコーダー２のブロック構成を図２に示す。
【００２０】
テレビ１は、操作受付部１１、表示部１２、制御部１３、チューナー部１４、接続管理部１５、レコーダー接続インタフェース部（以下、レコーダー接続Ｉ／Ｆ部）１６、及び第２コンテンツ取得部１７を備える。
【００２１】
操作受付部１１は、リモコンなどの機器を介して利用者から与えられた操作指示を受信する。操作受付部１１は、受信した操作指示を制御部１３に通知する。
【００２２】
制御部１３は、映像再生装置（テレビ１）全体の動作を制御し、操作受付部１１から通知された操作指示内容に基づいて動作する。制御部１３は、チューナー部１４に対してチューナーの選局を指示し、チューナー部１４から映像信号を受信する。また、制御部１３は、表示する映像信号を表示部１２へ送信する。また、制御部１３は、接続管理部１５を介してネットワーク上の他の映像再生装置（ＤＶＤレコーダー２）との間で映像信号（映像コンテンツ)の情報を送受信する。
【００２３】
表示部１２は、制御部１３から受け取った映像信号（映像コンテンツ）を再生表示する。表示部１２は、液晶やプラズマ等によって実現される映像コンテンツを再生表示するための映像パネルを備える。
【００２４】
チューナー部１４は、制御部１３からの選局指示に基づいて選局されたテレビ放送の映像信号（映像コンテンツ）を直接受信する。チューナー部１４が受信した映像コンテンツは、制御部１３を介して表示部１２に与えられ、表示部１２において再生表示される。
【００２５】
接続管理部１５は、ＨＤＭＩなどの映像信号伝達手段を利用して、他の映像再生装置（ＤＶＤレコーダー２）との間の映像信号や制御信号の送受信を管理する。接続管理部１５は、ＤＶＤレコーダー２の起動状況を確認したり、起動指示を与えたり、映像コンテンツの要求を行ったりする。
【００２６】
また、接続管理部１５は、ＤＶＤレコーダー２からキー情報を取得し、第２コンテンツ取得部１７へ渡す。キー情報については後述する。
【００２７】
本実施形態では、接続管理部１５は、ＨＤＭＩ仕様に準拠して、映像信号や制御信号の送受信や解釈を行うものとする。制御信号や映像信号は必要に応じて制御部１３に伝達される。接続管理部１５は、ＨＤＭＩのコントローラと考えることもできる。
【００２８】
レコーダー接続Ｉ／Ｆ部１６は、ＤＶＤレコーダー２と接続するケーブル（ＨＤＭＩケーブル３）を終端するインタフェースであり、ＤＶＤレコーダー２への信号送信、ＤＶＤレコーダー２からの信号受信を行う。レコーダー接続Ｉ／Ｆ部１６は、接続管理部１５によって制御される。
【００２９】
第２コンテンツ取得部１７は、接続管理部１５からキー情報を受け取り、このキー情報に基づいて映像コンテンツ（第２コンテンツ）を取得し、蓄積、又は、接続管理部１５へ出力する。
【００３０】
ここで、キー情報とは、例えば、ＤＶＤレコーダー２の起動完了までに要する時間に関する情報、又は、現在のＤＶＤレコーダー２の設定情報及び状態情報、又は、ＤＶＤレコーダー２に挿入されている映像コンテンツメディアの識別子情報、又は、ＤＶＤレコーダー２の操作履歴情報、又はこれらの情報の組み合わせである。
【００３１】
ＤＶＤレコーダー２の設定情報及び状態情報とは、例えば、現在の設定時刻情報、ＤＶＤレコーダー２の機種識別番号、ＤＶＤレコーダー２の個体識別番号、ＤＶＤレコーダー２の仕向け地情報、設定チャンネル情報等である。
【００３２】
挿入されている映像コンテンツメディアの識別子情報とは、例えば、ＤＶＤドライブに挿入されているＤＶＤメディアのＣｏｎｔｅｎｔＩＤ情報やＩｎｄｅｘｉｎｇ情報、ＳＤカードドライブに挿入されているＳＤカードメディアのＣｏｎｔｅｎｔＩＤ情報やＩｎｄｅｘｉｎｇ情報、ＨＤＤに保存されている映像コンテンツのタイトル情報やメタデータ情報等である。
【００３３】
操作履歴情報とは、例えば、直前の操作内容、最も視聴（利用）の多い時間帯の情報、最も利用の多いメディアの情報などである。
【００３４】
第２コンテンツ取得部１７は、前記キー情報に基づいて映像コンテンツ（第２コンテンツ）を取得する方法として、外部コンテンツサーバから取得する方法、宅内の他の機器に接続し、そこから取得する方法、テレビ１自身が蓄積する映像コンテンツから選択して取得する方法、などをとり得る。
【００３５】
第２コンテンツを外部コンテンツサーバから取得する方法について説明する。第２コンテンツ取得部１７は、キー情報の少なくとも一部を含めた、第２コンテンツ要求メッセージを作成し、これを、外部ネットワーク上のコンテンツサーバへ送信する。
【００３６】
このメッセージを送信するにあたり、テレビ１とコンテンツサーバとの間のデータの交換は暗号化あるいは認証がなされ、セキュリティが確保されてもよい。また、セキュリティ機能は、テレビ１とは異なる宅内機器(宅内ブロードバンドルータにおけるリモート接続機器等)によって実現されてもよい。
【００３７】
コンテンツサーバは、第２コンテンツ要求メッセージを受信すると、当該メッセージに含まれるキー情報を確認する。ここで、この要求メッセージにおいて、暗号化あるいは認証などのセキュリティ機能が付加されている場合、メッセージの復号化あるいは検証(正統性確認)を行っても良い。メッセージの復号化や検証に失敗した場合、コンテンツサーバは上記要求メッセージを無視しても良いし、テレビ１に対してエラーメッセージを送信することで応答してもよい。
【００３８】
コンテンツサーバは、自身が保持する映像コンテンツのデータベースから、キー情報に対応する第２コンテンツを選択する。このとき、要求メッセージに含まれている全てのキー情報を利用してもよいし、キー情報の一部のみを利用してもよい。
【００３９】
なお、コンテンツサーバの第２コンテンツ選択方法によっては、利用者に対して映像コンテンツサービスを提供することにも、コマーシャルコンテンツを提供することにもなり得る。例えば一般に、あるＤＶＤメディアのContent ID情報から、対応する映像コンテンツを特定する際に、そのＤＶＤコンテンツに登場するキャラクターの映像コンテンツを前記第２コンテンツとすれば、これは、そのＤＶＤメディアを購入して観賞している利用者に対し、そのＤＶＤコンテンツの付加情報を提供する映像サービスとなる。
【００４０】
一方、そのＤＶＤコンテンツに直接登場しない、別のＤＶＤコンテンツのキャラクターの映像コンテンツを前記第２コンテンツとすれば、これは、利用者に対して別のＤＶＤコンテンツの購入を呼びかけるコマーシャルコンテンツの提供となる。
【００４１】
本実施形態では、前者の映像サービスであっても、後者のコマーシャルコンテンツであっても、あるいはその両方であっても構わない。
【００４２】
これ以外のサービスの例として、ワンポイントヘルプ機能が考えられる。ある利用者が、同じ操作を何度も繰り返していたり、失敗したりした場合、操作方法を勘違いしている、又は理解していない場合がある。このような場合、キー情報として、映像再生装置の操作履歴情報と、映像再生装置の機種識別情報を用いて、利用者が失敗した操作の正しい操作方法を第２コンテンツとする、なども一例として考えられる。
【００４３】
コンテンツサーバは、以上のようにして特定した映像コンテンツ（第２コンテンツ）を第２コンテンツ取得部１７に対して送信する。
【００４４】
次に、第２コンテンツを、宅内の他の機器から取得する方法について説明する。これは、上述の「外部コンテンツサーバから取得する方法」におけるコンテンツサーバが、宅内ネットワークのその他の機器(例えば、その他の映像再生装置やホームサーバ等)である場合に相当し、取得方法そのものの違いはほとんど無い。
【００４５】
次に、第２コンテンツを、テレビ１自身が蓄積する映像コンテンツから選択して取得する方法について説明する。第２コンテンツ取得部１７は、キー情報を元に、自身が蓄積する（テレビ１に搭載された記憶部（図示せず）に記憶されている）映像コンテンツデータの中から、第２コンテンツにふさわしい映像コンテンツを選択するか、又は切り出す。
【００４６】
このように、キー情報に対応する第２コンテンツは、利用者が興味を抱くような映像コンテンツとなる。
【００４７】
なお、キー情報にＤＶＤレコーダー２の起動完了までに要する予測時間に関する情報が含まれている場合、第２コンテンツ取得部１７は、指定された時間での再生に適当な長さのコンテンツを、第２コンテンツとして取得する。例えば、第２コンテンツ取得部１７は、再生時間が前記予測時間に収まる映像コンテンツを第２コンテンツとして取得する。
【００４８】
第２コンテンツ取得部１７は、ＨＤＭＩコントローラ（接続管理部１５）の一部として実現してもよい。
【００４９】
ＤＶＤレコーダー２は、テレビ接続インタフェース部（以下、テレビ接続Ｉ／Ｆ部）２１、接続管理部２２、レコーダー機能部２３、及び記憶部２４を備える。
【００５０】
テレビ接続Ｉ／Ｆ部２１は、テレビ１と接続するケーブル（ＨＤＭＩケーブル３）を終端するインタフェースである。テレビ接続Ｉ／Ｆ部２１は接続管理部２２によって制御される。
【００５１】
接続管理部２２は、ＨＤＭＩなどの映像信号伝達手段を利用して、他の映像再生装置（テレビ１）との間の映像信号や制御信号の送受信を管理する。ここでは、ＨＤＭＩ仕様に準拠して、映像信号や制御信号の送受信や解釈を行うものとする。
【００５２】
レコーダー機能部２３は、ＤＶＤレコーダー２におけるレコーダー機能をもつ。また、レコーダー機能部２３は、ＤＶＤレコーダー２全体の動作を制御し、起動処理を実行する。また、レコーダー機能部２３は、記憶部２４に前記キー情報を格納する。
【００５３】
記憶部２４は、例えば不揮発性メモリであり、接続管理部２２と共に、ＨＤＭＩコントローラを構成し得る。記憶部２４に格納されているキー情報は、ＤＶＤレコーダー２の起動処理中に、接続管理部２２及びテレビ接続Ｉ／Ｆ部２１を介してテレビ１へ転送される。キー情報は、記憶部２４に事前に設定されるようにしてもよい。
【００５４】
次に、テレビ１及びＤＶＤレコーダー２の動作の一例を図３に示すシーケンス図を用いて説明する。図３に示すシーケンスは、テレビ１が、ＤＶＤレコーダー２の起動開始を指示し、ＤＶＤレコーダー２の起動完了を待って、ＤＶＤレコーダー２から提供される映像コンテンツ（第１コンテンツ）の再生表示を開始するものである。テレビ１は、ＤＶＤレコーダー２の起動完了を待つ間に、第２コンテンツを再生表示する。
【００５５】
なお、本シーケンスは、HDMI Specification Version 1.3a Supplement 1 Consumer Electronics Control (CEC) CEC Features Description Give Device Power Statusを参考としている。テレビ１とＤＶＤレコーダー２とが送受信するメッセージはすべてStart、Header Block、Data Block1 (opcode blocks)、Data Block2(oprand blocks)の４つから構成される。
【００５６】
Startには、常に固定のSpecial Start bitが格納される。Header Blockには、メッセージの送信元と受信先の種別、最終メッセージであるか否かを示すフラグ、及び応答であるか否かを示すフラグが格納される。Data Block1(opcode blocks)にはメッセージにおける指示情報が格納される。Data Block2(oprand blocks)は、Data Block1(opcode blocks)によって決定されるデータが複数格納される。
【００５７】
（ステップＳ０）利用者が、テレビ１を操作して映像コンテンツを視聴している途中で、ＤＶＤレコーダー２が保持する第１コンテンツ（ＤＶＤディスクの映像コンテンツ、又はテレビ番組を録画した映像コンテンツ等）の再生表示を、リモコンなどによってテレビ１に対して指示する。
【００５８】
（ステップＳ１）操作受付部１１が、利用者からの指示を受け付け、制御部１３に通知する。制御部１３は、利用者の指示に応じるためには、ＤＶＤレコーダー２から映像信号を取得し、これを表示部１２に再生表示することが必要であると解釈する。
【００５９】
制御部１３は、接続管理１５部に対して、ＤＶＤレコーダー２の映像チャネルを選択すること、及びＤＶＤレコーダー２から映像信号を取得して制御部１３に渡すことを要求する。
【００６０】
（ステップＳ２）接続管理部１５は、ＤＶＤレコーダー２に対して映像チャネルの選択要求を送信することを試みるが、現在、ＤＶＤレコーダー２が起動していないことを識別する。ＤＶＤレコーダー２が起動していないことを識別するために、後述するＨＤＭＩのGive Power Statusメッセージ及びReport Power Statusメッセージの交換を行ってもよい。
【００６１】
そこで、接続管理部１５は、ＤＶＤレコーダー２に対して、起動を要求するメッセージを送信する。この起動要求メッセージは、テレビ１の接続Ｉ／Ｆ部１６、ＨＤＭＩケーブル３、及びＤＶＤレコーダー２の接続Ｉ／Ｆ部２１を介して、接続管理部２２に通知される。
【００６２】
この起動要求メッセージの送信にあたり利用されるHDMI CECのフレームフォーマットの一例を図４に示す。これは、＜User Control Pressed＞メッセージであり、Data Block2(oprand blocks)はPowerとなる。
【００６３】
（ステップＳ３）ＤＶＤレコーダー２は起動していないが、ＨＤＭＩのコントローラに相当する接続管理部２２及び記憶部２４は常時通電されているため、テレビ１からの起動要求メッセージを受信することができる。
【００６４】
接続管理部２２は、受信した起動要求メッセージを解釈し、レコーダー機能部２３に対して、起動開始を指示する。これにより、ＤＶＤレコーダー２は起動処理を開始する。
【００６５】
（ステップＳ４）テレビ１の接続管理部１５は、ＤＶＤレコーダー２の接続管理部２２に対して、起動状況を問い合わせるためのメッセージを送信する。ここで、接続管理部１５は、単に起動状況を問い合わせるだけでなく、ＤＶＤレコーダー２の起動完了までにテレビ１において再生表示すべき第２コンテンツのための前記キー情報も問い合わせる。
【００６６】
このステップにおいて利用されるHDMI CECのフレームフォーマットの一例を図５に示す。これは、＜Give Power Status＞メッセージであり、Data Block2(oprand blocks)に前記キー情報を問い合わせることを伝えるための拡張フラグが付与される。拡張フラグは、HDMI CECプロトコルの標準への拡張となる。
【００６７】
（ステップＳ５）ＤＶＤレコーダー２の接続管理部２２は、受信した問い合わせ要求を解釈し、レコーダー機能部２３を参照して、起動状況を確認する。
【００６８】
ＤＶＤレコーダー２は、テレビ１からの最初の起動状況問い合わせを、起動処理途中に受け取る場合が多い。以下において、ＤＶＤレコーダー２が最初に問い合わせ要求を受信した時、ＤＶＤレコーダー２の起動は完了していないものとする。
【００６９】
（ステップＳ６）接続管理部２２が記憶部２４からキー情報を取得する。
【００７０】
（ステップＳ７）ＤＶＤレコーダー２の接続管理部２２は、テレビ１の接続管理部１５に対して、起動状況及びキー情報を応答するためのメッセージを送信する。この応答メッセージとして利用されるHDMI CECのフレームフォーマットを図６に示す。この応答メッセージは、＜Report Power Status＞メッセージであり、Data Block2(oprand blocks)に、ＤＶＤレコーダー２の起動状況（Power Status）を表す“In transition Standby to On”、及び、キー情報を表すContent Keyが複数含まれる。Content Keyは、HDMI CECプロトコルの標準への拡張となる。
【００７１】
（ステップＳ８）テレビ１の接続管理部１５は、ＤＶＤレコーダー２から受信した応答メッセージを解釈する。ここでは、ＤＶＤレコーダー２が起動途中であることを識別する。これにより、接続管理部１５は、一定時間後に再度ＤＶＤレコーダー２に対して、起動状況を問い合わせるメッセージを送信するための設定を行う。
【００７２】
また、接続管理部１５は、応答メッセージに含まれているキー情報を、第２コンテンツ取得部１７に通知する。
【００７３】
（ステップＳ９）第２コンテンツ取得部１７は、通知されたキー情報をもとに、ＤＶＤレコーダー２の起動完了を待つ間に再生表示する映像コンテンツ（第２コンテンツ）を取得する。例えば、第２コンテンツ取得部１７は、キー情報に基づいて、外部コンテンツサーバから第２コンテンツを取得する。
【００７４】
（ステップＳ１０）第２コンテンツ取得部１７が、取得した第２コンテンツを接続管理部１５へ出力する。
【００７５】
（ステップＳ１１）接続管理部１５は、第２コンテンツを映像信号として、制御部１３を介して表示部１２に渡す。また、この処理と同時に接続管理部１５は、第２コンテンツを蓄積しても良い。これにより、接続管理部１５が次回以降、同様のキー情報を受け取った場合、自身が蓄積した第２コンテンツを再利用できる。
【００７６】
表示部１２は、接続管理部１５から受け取った第２コンテンツの映像信号を再生表示する。
【００７７】
（ステップＳ１２）テレビ１の接続管理部１５が、定められた時間間隔で、ＤＶＤレコーダー２の接続管理部２２に対して、起動状況を問い合わせるためのメッセージを送信する。これはステップＳ４と同様である。
【００７８】
但し、送信するGive Power Statusメッセージには、キー情報を問い合わせるための拡張フラグは付与されていてもいなくてもよい。
【００７９】
（ステップＳ１３）接続管理部２２は、受信した問い合わせメッセージを解釈し、レコーダー機能部２３を参照して、起動状況を確認する。これはステップＳ５と同様である。
【００８０】
但し、受信したGive Power Statusメッセージに、キー情報を問い合わせるための拡張フラグが付与されている場合は、さらにステップＳ６のようなキー情報取得処理を実行してもよい。
【００８１】
（ステップＳ１４）ＤＶＤレコーダー２の接続管理部２２は、テレビ１の接続管理部１５に対して、起動状況を応答するためのメッセージを送信する。これはステップＳ７と同様である。
【００８２】
但し、ステップＳ１２にて、キー情報取得処理を行った場合は、応答メッセージにContent Keyが含まれるが、キー情報取得処理が行われていない場合は、Content Keyは含まれなくてよい。
【００８３】
起動処理が完了していない場合は、図６に示す応答メッセージ＜Report Power Status＞[“In transition Standby to On”]を送信し、起動が完了するまでステップＳ１２〜Ｓ１４が繰り返される。
【００８４】
起動処理が完了していると、図７に示すようなフレームフォーマットの応答メッセージ＜Report Power Status＞[“On”]が送信され、この応答メッセージを受信したテレビ１がステップＳ１５を実行する。
【００８５】
（ステップＳ１５）テレビ１の接続管理部１５は、受信した応答メッセージを解釈する。接続管理部１５は、ＤＶＤレコーダー２の起動が完了したことを識別すると、ＤＶＤレコーダー２の接続管理部２２に対して、映像チャネルの選択指示及び映像信号の送信指示を通知するメッセージを送信する。
【００８６】
このメッセージの送信の際に利用されるHDMI CECのフレームフォーマットの一例を図８に示す。Data Block1(opcode blocks)はSet Stream Path、Data Block2(oprand blocks)は映像信号の物理アドレスとなる。
【００８７】
（ステップＳ１６）ＤＶＤレコーダー２の接続管理部２２は、受信した指示を解釈する。接続管理部２２は、レコーダー機能部２３にアクセスして、指示された映像信号（第１コンテンツ）を取り出し、テレビ１の接続管理部１５に対して送信する。
【００８８】
映像信号の送信パスを通知するためのメッセージのフレームフォーマットの一例を図９に示す。Data Block1(opcode blocks)はActive Source、Data Block2(oprand blocks)は映像信号の物理アドレスとなる。
【００８９】
（ステップＳ１７）テレビ１の接続管理部１５は、ＤＶＤレコーダー２から受信した映像信号（第１コンテンツ）を、制御部１３に渡す。制御部１３はこの映像信号を表示部１２に渡す。これにより、表示部１２は、ＤＶＤレコーダー２の映像信号を表示する。ここで表示される映像信号は、ステップＳ０にて利用者に指示されたものである。
【００９０】
なお、ステップＳ１７の時点で、表示部１２において第２コンテンツが再生表示中であった場合、第２コンテンツの再生表示を強制的に終了させて、ＤＶＤレコーダー２から受け取った映像信号を再生表示するように制御してもよいし、再生中の第２コンテンツの再生表示が終了するまで待った後に、映像信号を再生表示するように制御してもよい。
【００９１】
テレビ１は、ＤＶＤレコーダー２の起動を待っている間に、キー情報に基づく利用者の嗜好を反映した映像コンテンツを取得し、これを再生表示する。利用者は、指示したコンテンツが再生表示されるまでの待ち時間に、このような映像コンテンツを視聴できるため、待ち時間に対する不満感が緩和される。
【００９２】
このように、本実施形態に係る映像再生装置は、他機器の起動待ちの際に映像コンテンツを再生表示し、待ち時間に対する利用者の不満感を緩和することができる。
【００９３】
上記実施形態は、テレビ１とＤＶＤレコーダー２との間でキー情報を受け渡すことで、ＤＶＤレコーダー２の起動が完了するまでの間に、テレビ１が第２コンテンツを取得できるものであった。
【００９４】
一方、前記キー情報が、テレビ１において事前に決定できる場合、又は、固定的に決定している場合は、テレビ１とＤＶＤレコーダー２との間でのキー情報の受渡しは行わなくてもよい。
【００９５】
これにより、図３に示すシーケンスにおける、<Give Power Status>メッセージへの拡張フラグの付与（ステップＳ４）、キー情報取得（ステップＳ６）、<Report Power Status>メッセージへのキー情報の付与（ステップＳ７）、及び第２コンテンツ決定のための処理（ステップＳ９）を省略できる。
【００９６】
また、この場合、ＤＶＤレコーダー２から＜Report Power Status＞[“In transition Standby to On”]メッセージを受信（ステップＳ７）する前段階、具体的には、ＤＶＤレコーダー２に対して<User Control Pressed>["Power"]メッセージを送信（ステップＳ４）した時点から、第２コンテンツ取得の処理（ステップＳ９）、及び第２コンテンツの再生表示を開始できる。この場合のシーケンスの一例を図１０に示す。このシーケンスでは、メッセージへの拡張が発生しない。
【００９７】
また、テレビ１が再生表示する第２コンテンツのキー情報を、テレビ１が事前に決定しておくための方法の例として、HDMI CEC Deck Control Featureユースケースにおける<Play>["Forward"]メッセージ及び<Deck Status>["Play"]メッセージを利用する方法、又は、HDMI CEC Vendor Specific Commandユースケースにおける<Vendor Command>["Event"]メッセージを利用する方法が考えられる。
【００９８】
HDMI CEC Deck Control Featureユースケースにおける<Play>["Forward"]メッセージ及び<Deck Status>["Play"]メッセージを利用する方法のシーケンスを図１１に示す。これは、テレビ１がＤＶＤレコーダー２に対して再生を指示する場合に発生するメッセージの交換である。
【００９９】
テレビ１からＤＶＤレコーダー２に対して送信されるメッセージである<Play>["Forward"] メッセージに、拡張フラグ情報を付与し、これを受信したＤＶＤレコーダー２からテレビ１に対して送信されるメッセージである<Deck Status>["Play"]メッセージに、キー情報を付与する。これにより、ＤＶＤレコーダー２は、テレビ１にキー情報を渡すことができる。テレビ１の接続管理部１５は、このキー情報を格納しておく。
【０１００】
このとき利用される<Play>["Forward"]メッセージのフレームフォーマットを図１２に示す。Data Block1(opcode blocks)はPlay、Data Block2(oprand blocks)はPlay Forwardとなる。また、Data Block2 (operand blocks)に、拡張フラグが加えられる。
【０１０１】
<Deck Status>["Play"]メッセージのフレームフォーマットを図１３に示す。Data Block1(opcode blocks)はDeck Status、Data Block2(oprand blocks)はPlayとなる。また、Data Block2 (operand blocks)にはContent Keyが複数含まれ得る。
【０１０２】
HDMI CEC Vendor Specific Commandユースケースにおける<Vendor Command>["Event"]メッセージを利用する方法のシーケンスを図１４に示す。これは、ＤＶＤレコーダー２にて、ＤＶＤの再生等の何らかのイベントが発生した場合に実行されるメッセージ送信である。
【０１０３】
ベンダー拡張仕様によって、ＤＶＤレコーダー２から、テレビ１に対して、<Vendor Command>["Event"]メッセージを送信することが可能であり、このメッセージにキー情報を付与することで、ＤＶＤレコーダー２はテレビ１にキー情報を渡すことができる。テレビ１の接続管理部１５は、このキー情報を格納しておく。
【０１０４】
これらの方法により、テレビ１は、事前にＤＶＤレコーダー２からキー情報を取得しておくことができる。
【０１０５】
上記実施形態では、映像再生装置として、テレビ及びＤＶＤレコーダーを例に説明したが、これに限定されず、ＤＶＤプレイヤーやハードディスクレコーダーなど、映像コンテンツ再生機能を持つ様々な装置に適用することができる。
【０１０６】
また、上記実施形態では、映像再生装置間をＨＤＭＩケーブルで接続していたが、イーサネット（登録商標）ケーブル等で接続してもよい。
【０１０７】
上述した実施形態で説明した映像再生装置の少なくとも一部は、ハードウェアで構成してもよいし、ソフトウェアで構成してもよい。ソフトウェアで構成する場合には、映像再生装置の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【０１０８】
また、映像再生装置の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【０１０９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１１０】
１  テレビ
２  ＤＶＤレコーダー
３  ＨＤＭＩケーブル
４  放送波受信機
５  ルータ
１１  操作受付部
１２  表示部
１３  制御部
１４  チューナー部
１５、２２  接続管理部
１６、２１  接続Ｉ／Ｆ部
１７  第２コンテンツ取得部
２３  レコーダー機能部
２４  記憶部
【図１】
2010213156.tif 000003
【図２】
2010213156.tif 000004
【図３】
2010213156.tif 000005
【図４】
2010213156.tif 000006
【図５】
2010213156.tif 000007
【図６】
2010213156.tif 000008
【図７】
2010213156.tif 000009
【図８】
2010213156.tif 000010
【図９】
2010213156.tif 000011
【図１０】
2010213156.tif 000012
【図１１】
2010213156.tif 000013
【図１２】
2010213156.tif 000014
【図１３】
2010213156.tif 000015
【図１４】
2010213156.tif 000016